(57)【要約】【課題】電源が遮断された場合においても輝度むら補正値の更新を確実に行うことのできる映像表示装置を提供する。【解決手段】制御装置８は、電源オフとされるとその度に、輝度むら補正値の更新動作を実行する。この際に、電源オフの後に電源プラグがコンセントから抜かれる等して電源が遮断されると、バッテリー１５から電力が供給され、このバッテリー１５からの電力によって、輝度むら補正値の更新動作が実行される。【選択図】図１
2006106122.tif 000002
【特許請求の範囲】
【請求項１】
複数の表示画素を備え、各表示画素に駆動信号及び走査線ドライバからの走査線信号が供給される映像表示手段によって映像表示を行う映像表示装置であって、
前記表示画素毎の輝度むら補正値を格納する補正値メモリと、
前記表示画素の駆動信号として所定のテスト信号を供給するテスト信号供給手段と、
前記テスト信号供給手段から前記表示画素にテスト信号を供給した際に、前記走査線ドライバに流れる電流を測定する電流測定手段と、
前記映像表示手段の前記表示画素に順次前記テスト信号供給手段から前記テスト信号を供給し、前記電流測定手段によって前記走査線ドライバに流れる電流を測定し、この電流の測定結果に基づいて前記補正値メモリの前記輝度むら補正値を更新し、この更新動作を、所定のタイミングで実行する制御手段と、
電源が遮断されている時に前記輝度むら補正値の更新動作を実行可能とするための電力を供給するバッテリーと
を具備したことを特徴とする映像表示装置。
【請求項２】
前記制御手段が、前記輝度むら補正値の更新動作を実行する前記所定のタイミングは、電源がオフされた度毎であることを特徴とする請求項１記載の映像表示装置。
【発明の詳細な説明】
【技術分野】
【０００１】
本発明は、映像表示装置に係り、特に表示画素毎の輝度のばらつき（輝度むら）を補正する機能を備えた映像表示装置に関する。
【背景技術】
【０００２】
従来から、映像表示装置として、例えば、フィールドエミッションタイプの素子を用いた平面型の映像表示装置であるＦＥＤ（フィールド・エミッション・ディスプレイ）が知られている。このような映像表示装置では、素子の特性の相違によって表示画素毎の輝度のばらつき（輝度むら）が発生する。このため、表示画素毎の輝度むらを予め測定し、この測定結果から輝度むら補正値を求め、この輝度むら補正値を補正値メモリに格納しておき画像信号を補正する輝度むら補正機能を設けることが行われている。
【０００３】
また、このような映像表示装置では、各表示画素の輝度特性が経時変化するので、輝度むら補正値を更新する必要がある。この輝度むら補正値を更新する技術としては、所定のテスト信号を供給した際に各表示画素に流れる電流値を計測し、この電流計測結果に基づいて、補正値メモリに格納されている輝度むら補正値を更新する技術が知られている（例えば、特許文献１参照。）。
【特許文献１】特許第３２８０１７６号公報
【発明の開示】
【発明が解決しようとする課題】
【０００４】
上述した映像表示装置において、電源がオンとされ、実際に画像表示が行われている際に、テスト信号による各表示画素の電流計測を行うと、視聴者にとって目障りとなってしまうため、この間に電流計測を行うことはできない。
【０００５】
このため、映像表示装置の電源がオンとされてから実際に画像表示が開始されるまでの間、又は、電源がオフとされた後に各表示画素の電流測定を行い、輝度むら補正値の更新を行うことが考えられる。
【０００６】
しかしながら、電源オンとされてから、実際の映像表示が開始されるまでの短い時間に電流測定及び輝度むら補正値の更新を全て行うことは困難である。また、電源オフ時には、電源をオフとした後、電源プラグがコンセントから抜かれる等して電源が遮断される可能性がある。このため、電源オフ時に電流測定及び輝度むら補正値の更新を行うと、電源の遮断によりこれらの動作が途中で中断される等の事態が発生する可能性が生じる。
【０００７】
本発明は、上記課題を解決するためになされたもので、電源が遮断された場合においても輝度むら補正値の更新を確実に行うことのできる映像表示装置を提供することを目的とする。
【課題を解決するための手段】
【０００８】
上記目的を達成するために、本発明は、複数の表示画素を備え、各表示画素に駆動信号及び走査線ドライバからの走査線信号が供給される映像表示手段によって映像表示を行う映像表示装置であって、前記表示画素毎の輝度むら補正値を格納する補正値メモリと、前記表示画素の駆動信号として所定のテスト信号を供給するテスト信号供給手段と、前記テスト信号供給手段から前記表示画素にテスト信号を供給した際に、前記走査線ドライバに流れる電流を測定する電流測定手段と、前記映像表示手段の前記表示画素に順次前記テスト信号供給手段から前記テスト信号を供給し、前記電流測定手段によって前記走査線ドライバに流れる電流を測定し、この電流の測定結果に基づいて前記補正値メモリの前記輝度むら補正値を更新し、この更新動作を、所定のタイミングで実行する制御手段と、電源が遮断されている時に前記輝度むら補正値の更新動作を実行可能とするための電力を供給するバッテリーとを具備したことを特徴とする映像表示装置である。
【発明の効果】
【０００９】
本発明によれば、電源が遮断された場合においても輝度むら補正値の更新を確実に行うことのできる映像表示装置を提供することができる。
【発明を実施するための最良の形態】
【００１０】
以下、本発明の実施の形態について図面を参照して説明する。図１は、本発明の一実施形態に係る映像表示装置の要部概略構成を示すもので、同図において１は、映像表示手段としての平面ディスプレイ、２は平面ディスプレイ１に駆動信号を供給する駆動回路ドライバ、３は平面ディスプレイ１に走査線信号を供給する走査線ドライバ、４は切換え機、５は演算器、６は補正値メモリである。
【００１１】
上記平面ディスプレイ１は、横（水平）方向に伸びるｍ（例えば７２０）本の走査線と、これらの走査線に交差して縦（垂直）方向に伸びるｎ（例えば１２８０×３）本の信号線と、これらの走査線と信号線との交差位置近傍に配置されるｍ×ｎ（例えば約２７６万）個の表示画素とを有する。各カラー表示画素は水平方向において隣接する３個の表示画素により構成される。このカラー表示画素は、３個の表示画素がそれぞれ表面伝導型電子放出素子を具備しており、各表示画素は、これらの表面伝導型電子放出素子から放出される電子ビームによって発光する赤（Ｒ）、緑（Ｇ）、青（Ｂ）の蛍光体を具備している。
【００１２】
映像表示を行うための入力信号は、切換え機４を介して演算器５に入力され、ここで、補正値メモリ６内に格納された各表示画素毎の輝度むら補正値によって補正され、駆動回路ドライバ２に供給される。そして、この信号は、平面ディスプレイ１に供給され、これによって、輝度むら補正された平面ディスプレイ１による映像表示が行われる。
【００１３】
また、図１において、７はテスト信号発生機、８は制御装置、９は電流計測部、１０は比較器、１１は初期値メモリ、１２は電源回路、１４は商用電源１３からの交流電力を直流電力に変換するＡＣアダプタ、１５はバッテリーである。
【００１４】
上記テスト信号発生機７は、所定のテスト信号を発生する。このテスト信号は、補正値メモリ６内に格納された各表示画素毎の輝度むら補正値を更新する際等に使用される。このテスト信号発生機７からテスト信号を発生し、輝度むら補正値の更新動作を実行するタイミングは、制御装置８によって制御される。制御装置８は、予め設定された所定タイミング（例えば、電源オフ時）で補正値の更新動作を実行する。
【００１５】
上記テスト信号を用いて輝度むら補正値の更新動作を行う際には、制御装置８は、切換え機４を制御し、駆動回路ドライバ２に入力される駆動信号を、通常の映像表示を行うための入力信号から、テスト信号発生機７からのテスト信号に切り換える。そして、上記のテスト信号発生機７からのテスト信号が各表示画素に印加された際に走査線ドライバ３に流れる電流を、電流計測部９で測定する。
【００１６】
表面伝導型電子放出素子の場合、上記電流計測部９で測定される電流値は、放出される電子ビームの強度と相関関係がある。このため、駆動信号が供給された各表示画素（素子）の走査線ドライバ３に流れる電流を電流計測部９で各表示画素（素子）に流れる電流を測定することによって、その経時変化を検出することができ、これを補完するように輝度むら補正値を更新する。
【００１７】
電流計測部９で測定される電流値の初期値は、初期値メモリ１１に格納されている。この電流値の初期値の測定、及び、この電流値の初期値に基づく輝度むら補正値の設定（初期特性検査）は、製品の製造時に行われる。
【００１８】
図２は、上記初期特性検査の工程を示すものである。同図に示すように、初期特性検査においては、テスト信号発生機７からテスト信号を発生させ、テスト信号が各表示画素  （素子）に印加された際に走査線ドライバ３に流れる電流を電流計測部９で測定する（２０１）。
【００１９】
そして、電流初期値を初期値メモリ１１に記憶する（２０２）。また、この電流初期値から輝度むら補正値を算出し（２０３）、算出した輝度むら補正値を補正値メモリ６に記憶して（２０４）、処理を終了する。
【００２０】
輝度むら補正値の算出方法としては、例えば、所定の設計値と測定値とを比較し、設計値を測定値で除算する方法がある。具体例を挙げれば、設計値が４．４ｍＡの場合に、測定値が４．０ｍＡであれば、補正値は１．１となる。
【００２１】
上記のようにして初期特性検査が行われ、輝度むら補正値の初期値が設定されるが、各表示画素を構成する素子の特性は経時変化する。このため、輝度むら補正値の更新が必要となる。
【００２２】
本実施形態では、図３に示すように、制御装置８は、動作状態において電源オフとされたか否かを監視し（３０１）、電源オフとされるとその度に、輝度むら補正値の更新動作を実行する（３０２）。そして、輝度むら補正値の更新動作が終了すると（３０３）、処理を終了する。
【００２３】
この際に、電源オフの後に電源プラグがコンセントから抜かれる等して電源が遮断されると、バッテリー１５から電力が供給され、このバッテリー１５からの電力によって、上記の輝度むら補正値の更新動作が実行される。これによって、電源が遮断された場合においても、確実に輝度むら補正値の更新を行うことができる。
【００２４】
上記輝度むら補正値の更新動作は、図４に示されるようにして行われる。すなわち、制御装置８からの要求により、更新動作が開始されると、まず、テスト信号発生機７からのテスト信号の発生と、電流計測部９による電流測定が行われる（４０１）。
【００２５】
次に、比較器１０において、初期値メモリ１１に格納されている各表示画素の電流値の初期値と、電流の測定値が比較される（４０２）。これによって、各表示画素における輝度特性の経時変化の有無とその大きさが検出される。そして、制御装置８は、経時変化の有無を判断し（４０３）、経時変化がない場合は、処理を終了し、経時変化がある場合は、この比較結果に基づいて経時変化後の新しい輝度むら補正値を算出し（４０４）、補正値メモリ６内に格納されている各表示画素毎の輝度むら補正値のデータを更新する（４０５）。
【００２６】
上記経時変化の有無の判断は、例えば、電流値の初期値と電流値の測定値との差が、予め設定されている閾値より小さい場合は無し、この閾値以上の場合は有り、として判断することができる。また、輝度むら補正値の算出は、前述した場合と同様にして行うことができる。
【００２７】
以上のように、本実施形態では、映像表示装置の電源がオフとされた後に、電源プラグがコンセントから抜かれ、電源が遮断されるような事態が生じても、バッテリー１５から電力が供給されるので、このバッテリー１５からの電力によって、確実に輝度むら補正値の更新を行うことができる。
【００２８】
なお、本発明は、上記の実施形態に限定されるものではなく、種々の変形が可能であることは勿論である。例えば、上記輝度むら補正値の更新動作のタイミングは、電源オフ時毎に毎回は行わず、所定回数あるいは所定動作時間経過語に電源がオフとされた際にのみ行っても良い。
【図面の簡単な説明】
【００２９】
【図１】本発明の実施形態に係る映像表示装置の構成を示す図。
【図２】図１の映像表示装置の動作を説明するための図。
【図３】図１の映像表示装置の動作を説明するための図。
【図４】図１の映像表示装置の動作を説明するための図。
【符号の説明】
【００３０】
１…平面ディスプレイ、２…駆動回路ドライバ、３…走査線ドライバ、４…切換え機、５…演算器、６…補正値メモリ、７…テスト信号発生機、８…制御装置、９…電流計測部、１０…比較器、１１…初期値メモリ、１２…電源回路、１３…商用電源、１４…ＡＣアダプタ、１５…バッテリー。
【図１】
2006106122.tif 000003
【図２】
2006106122.tif 000004
【図３】
2006106122.tif 000005
【図４】
2006106122.tif 000006